(57)【要約】【課題】刷毛やヘラ等の補修用具が不要で作業者の手を汚すこともなく、作業が容易かつ安定して行え、均一で良好な仕上り状態を得る壁紙補修具を提供する。【解決手段】片手による手持ち操作可能なケース２内に、繰出リール３、巻取リール４、両リール３、４を相互に連動回転させる連動機構６、両リール３、４における補修材テープＴの繰出速度と巻取速度を同期させるクラッチ機構７が設けられるとともに、ケース２の先端部に、繰出リール３から繰り出される補修材テープＴを加圧転写する転写ヘッド５を備えてなり、補修材テープＴは、基材テープＴ´表面に薄膜状の補修膜Ｆが剥離可能に保持される構造を備え、転写ヘッド５は、補修材テープＴを加圧転写する先端加圧部５ａが壁紙表面の凹凸形状に対応して弾性変形する特性を発揮する弾性変形構造２５を備える。【選択図】図２
2016048002.tif 000002
【特許請求の範囲】
【請求項１】
建築物の室内の
1409147579258_0
や
1409147579258_1
の表面を形成する壁紙に生じたネジ穴、ピン穴、破れ、シミ、落書き等の傷や汚れを被覆補修する壁紙補修具であって、
片手による手持ち操作可能なケースと、
このケース内に回転可能に装着されて、補修材テープを繰り出し可能に巻装した繰出リールと、
前記ケース内に回転可能に装着されて、使用後の補修材テープを巻き取り回収する巻取リールと、
この巻取リールおよび前記操出リールを相互に連動回転させる連動機構と、
前記繰出リールおよび巻取リールにおける補修材テープの繰出速度および巻取速度を同期させるクラッチ機構と、
前記ケースの先端部に配設されて、前記繰出リールから繰り出される補修材テープを壁紙の被補修部上に加圧転写する転写ヘッドとを備えてなり、
前記補修材テープは、基材テープの表面に薄膜状の補修膜が剥離可能に保持される構造を備え、
前記転写ヘッドは、前記補修材テープを加圧転写する先端加圧部が壁紙表面の凹凸形状に対応して弾性変形する特性を発揮する弾性変形手段を備える
ことを特徴とする壁紙補修具。
【請求項２】
前記補修材テープは、基材テープの表面に、感圧接着性を有する補修塗料層が剥離可能に保持されて、前記補修膜が形成されている
ことを特徴とする請求項１に記載の壁紙補修具。
【請求項３】
前記補修材テープは、基材テープの表面に、剥離剤層、補修塗料層および感圧接着剤層が順次積層されて、前記補修膜が形成されている
ことを特徴とする請求項２に記載の壁紙補修具。
【請求項４】
前記補修塗料層は、ドライタイプの塗料からなる
ことを特徴とする請求項２または３に記載の壁紙補修具。
【請求項５】
前記弾性変形手段は、前記転写ヘッドの母材が前記特性を有する弾性材料から構成されてなる
ことを特徴とする請求項１に記載の壁紙補修具。
【請求項６】
前記弾性変形手段は、前記転写ヘッドのヘッド本体の母材よりも柔軟な弾性材料からなる弾性変形部が前記ヘッド本体の一部に一体結合されてなる
ことを特徴とする請求項１に記載の壁紙補修具。
【請求項７】
前記弾性変形部は、少なくとも前記ヘッド本体の先端部に一体結合されて、補修材テープを加圧転写する前記先端加圧部を形成している
ことを特徴とする請求項６に記載の壁紙補修具。
【請求項８】
前記弾性変形部は、前記ヘッド本体を構成する母材部と前後方向へ交互に複数箇所に一体結合されてなる
ことを特徴とする請求項６または７に記載の壁紙補修具。
【請求項９】
前記弾性変形手段は、前記ヘッド本体の母材と異なる弾性材料からなる弾性変形部がヘッド本体の先端部に取外し可能に設けられてなり、
この弾性変形部の一部が補修材テープを加圧転写する前記先端加圧部を形成している
ことを特徴とする請求項１に記載の壁紙補修具。
【請求項１０】
前記弾性変形手段は、前記ヘッド本体の母材と同一材料からなる弾性変形部がヘッド本体の先端部に一体形成されてなり、この弾性変形部の一部が補修材テープを加圧転写する先端加圧部を形成している
ことを特徴とする請求項１に記載の壁紙補修具。
【請求項１１】
前記弾性変形部は、その内部に中空部分を有する弾性変形可能な枠体構造を備えている
ことを特徴とする請求項１０に記載の壁紙補修具。
【請求項１２】
前記弾性変形部は、前記ヘッド本体と平行に延びる薄肉板状の変形部本体と、この変形部本体の先端に所定の傾斜角度をもって一体形成された薄肉板状のテープ案内部とからなることを特徴とする請求項１０に記載の壁紙補修具。
【請求項１３】
前記弾性変形部は、骨組み部材から一体形成された弾性変形可能な骨組み構造を備えてなる
ことを特徴とする請求項１０に記載の壁紙補修具。
【請求項１４】
前記弾性変形手段は、前記ヘッド本体の母材と同一材料からなる弾性変形部がヘッド本体の基端側部位に一体形成されてなる
ことを特徴とする請求項１に記載の壁紙補修具。
【請求項１５】
前記弾性変形部は、前記ヘッド本体よりも小さな断面積を有している少なくとも一本の直線棒から形成されている
ことを特徴とする請求項１４に記載の壁紙補修具。
【請求項１６】
前記弾性変形部は、前記ヘッド本体よりも小さな断面積を有するジグザグ構造を備えている
ことを特徴とする請求項１４に記載の壁紙補修具。
【請求項１７】
前記ヘッド本体が前記ケースのヘッド保持部に軸心まわりに回転可能に取付けられた回転ヘッド構造を備えてなる
ことを特徴とする請求項１から１６のいずれか一つに記載の壁紙補修具。
【請求項１８】
前記ヘッド本体の回転方向位置を位置決め操作する回転操作部を備え、この回転操作部は、前記ヘッド本体のテープ加圧転写姿勢を示すヘッド姿勢表示部を兼務する構成とされている
ことを特徴とする請求項１７に記載の壁紙補修具。
【請求項１９】
前記回転操作部は、前記ヘッド本体のテープ加圧転写姿勢と関連付けて設けられた操作レバーを備えてなり、この操作レバーは、壁紙補修具のケースに貫設されたスリット状の操作案内部を介して、前記ケースの外部に突出状に臨んでいる
ことを特徴とする請求項１８に記載の壁紙補修具。
【請求項２０】
前記スリット状の操作案内部は、前記操作レバーの回転方向操作範囲を規制して、前記ヘッド本体のテープ加圧転写姿勢を制御する構造とされている
ことを特徴とする請求項１９に記載の壁紙補修具。
【請求項２１】
前記ヘッド本体がヘッド保持部に固定的に取付けられた固定ヘッド構造を備えてなる
ことを特徴とする請求項１から１６のいずれか一つに記載の壁紙補修具。
【請求項２２】
前記ヘッド本体の先端加圧部は、前記ケースの把持面に対してほぼ平行に延びる直線状端縁の形態とされている
ことを特徴とする請求項２１に記載の壁紙補修具。
【請求項２３】
前記ケースに、被補修部に被覆転写された補修膜を均一に押圧するための押圧ローラが自由回転可能に設けられている
ことを特徴とする請求項１に記載の壁紙補修具。
【請求項２４】
前記押圧ローラは、弾性材料からなるとともに、円筒押圧面を有する弾性円筒ローラの形態とされている
ことを特徴とする請求項２３に記載の壁紙補修具。
【請求項２５】
前記押圧ローラは、硬質材料の本体表面部に弾性材料からなる弾性表面層が形成されてなるとともに、円筒押圧面を有する弾性円筒ローラの形態とされている
ことを特徴とする請求項２３に記載の壁紙補修具。
【請求項２６】
前記繰出リールおよび巻取リールを備えるテープカートリッジが、前記ケース内に直接的に装着されてなる使い切りタイプである
ことを特徴とする請求項１から２５のいずれか一つに記載の壁紙補修具。
【請求項２７】
前記繰出リールおよび巻取リールを備えるテープカートリッジが、前記ケース内に取外し交換可能に装着されて、補修材テープの交換が可能なリフィルタイプである
ことを特徴とする請求項１から２５のいずれか一つに記載の壁紙補修具。
【発明の詳細な説明】
【技術分野】
【０００１】
本発明は壁紙補修具に関し、さらに詳細には、建築物の室内の
1409147579258_2
や
1409147579258_3
の表面を形成する壁紙に生じたネジ穴、ピン穴、破れ、シミ、落書き等の傷や汚れを被覆補修する壁紙補修技術に関する。
【背景技術】
【０００２】
壁紙(wallpaper）は、
1409147579258_4
、
1409147579258_5
あるいは
1409147579258_6
で構成された
1409147579258_7
で、クロス（cloth）とも呼ばれ、
1409147579258_8
において室内の
1409147579258_9
や
1409147579258_10
の下地材を保護したり装飾するための内装仕上材として用いられるもので、上記下地材表面に
1409147579258_11
により張設されて壁や天井の表面を形成する。
【０００３】
ところで、壁紙の表面には、印刷加工や凹凸処理加工により種々の装飾模様が施されているところ、これら装飾模様は経時的な壁面使用や劣化等により損傷を受けたり、汚れてしまうことがある。
【０００４】
例えば、壁掛け用フックや画鋲の使用後に残るネジ穴やピン穴により壁紙が損傷を受けたり、壁紙自体に破れを生じたり、あるいは食べ物や液体によるシミや落書き等により壁紙表面の装飾模様が汚れてしまう場合などであり、このような損傷や汚れにより、壁紙はその本来的機能である下地材の保護機能や装飾機能を損なってしまうことがある。
【０００５】
これらの損傷や汚れが激しい場合には壁紙自体の張り替えを余儀なくされるが、比較的小さな損傷や汚れについては、これらを補修することで壁紙の修復が図られている。
【０００６】
この壁紙を補修する手段としては、従来、液体またはペースト状の補修剤が一般に用いられており（例えば特許文献１、２、３参照）、これら補修剤による補修作業に際しては、まず、補修対象となる壁紙の色に合わせて補修剤を混合調整し、この調整した補修剤を刷毛やヘラ等の補修用具を用いて壁紙の被補修箇所に塗布または塗着し、この塗布または塗着した補修剤が乾燥するまで一定時間放置しておくというものであった。
【先行技術文献】
【特許文献】
【０００７】
【特許文献１】特開平１０−２５９３６５
【特許文献２】特開２０００−３１９６０５
【特許文献３】特開２００７−９２４４３
【発明の概要】
【発明が解決しようとする課題】
【０００８】
しかしながら、このような補修剤による補修作業には、上記のごとく刷毛やヘラ等の補修用具を別途必要とするとともに、補修用具を用いた作業にはある程度の熟練を要して、補修箇所がかえって目立ってしまう等、仕上り状態に個人差が出やすいという問題がった。
【０００９】
また、補修剤が液体またはペースト状であるため作業者の手を汚しやすく、さらに補修剤が乾燥するまである程度の時間を要するため、作業完了まで時間がかかり、乾燥途中で補修箇所に触れて補修効果を損なうおそれもあった。
【００１０】
本発明はかかる従来の問題点に鑑みてなされたものであって、その目的とするところは、補修材を取扱い易い補修材テープの形態として操作容易なケース内に収納することにより、刷毛やヘラ等の補修用具が不要で作業者の手を汚すこともなく、作業が容易かつ安定して行え、しかも均一で良好な仕上り状態を得ることができる壁紙補修具を提供することにある。
【課題を解決するための手段】
【００１１】
この目的を達成するため、本発明の壁紙補修具は、建築物の室内の
1409147579258_12
や
1409147579258_13
の表面を形成する壁紙に生じたネジ穴、ピン穴、破れ、シミ、落書き等の傷や汚れを被覆補修する壁紙補修具であって、片手による手持ち操作可能なケースと、このケース内に回転可能に装着されて、補修材テープを繰り出し可能に巻装した繰出リールと、上記ケース内に回転可能に装着されて、使用後の補修材テープを巻き取り回収する巻取リールと、この巻取リールおよび上記操出リールを相互に連動回転させる連動機構と、上記繰出リールおよび巻取リールにおける補修材テープの繰出速度および巻取速度を同期させるクラッチ機構と、上記ケースの先端部に配設されて、上記繰出リールから繰り出される補修材テープを壁紙の被補修部上に加圧転写する転写ヘッドとを備えてなり、上記補修材テープは、基材テープの表面に薄膜状の補修膜が剥離可能に保持される構造を備え、上記転写ヘッドは、上記補修材テープを加圧転写する先端加圧部が壁紙表面の凹凸形状に対応して弾性変形する特性を発揮する弾性変形手段を備えることを特徴とする。
【００１２】
好適な実施態様として、以下の構成が採用される。
（１）上記補修材テープは、基材テープの表面に、感圧接着性を有する補修塗料層が剥離可能に保持されて、上記補修膜が形成されている。
【００１３】
（２）上記補修材テープは、基材テープの表面に、剥離剤層、補修塗料層および感圧接着剤層が順次積層されて、上記補修膜が形成されている。
【００１４】
（３）上記補修塗料層は、ドライタイプの塗料からなる。
【００１５】
（４）上記弾性変形手段は、上記転写ヘッドの母材が上記特性を有する弾性材料から構成されてなる。
【００１６】
（５）上記弾性変形手段は、上記転写ヘッドのヘッド本体の母材よりも柔軟な弾性材料からなる弾性変形部が上記ヘッド本体の一部に一体結合されてなる。
【００１７】
（６）上記弾性変形部は、少なくとも上記ヘッド本体の先端部に一体結合されて、補修材テープを加圧転写する上記先端加圧部を形成している。
【００１８】
（７）上記弾性変形部は、上記ヘッド本体を構成する母材部と前後方向へ交互に複数箇所に一体結合されてなることを特徴とする。
【００１９】
（８）上記弾性変形手段は、上記ヘッド本体の母材と異なる弾性材料からなる弾性変形部がヘッド本体の先端部に取外し可能に設けられてなり、この弾性変形部の一部が補修材テープを加圧転写する上記先端加圧部を形成している。
【００２０】
（９）上記弾性変形手段は、上記ヘッド本体の母材と同一材料からなる弾性変形部がヘッド本体の先端部に一体形成されてなり、この弾性変形部の一部が補修材テープを加圧転写する先端加圧部を形成している。
【００２１】
（１０）上記弾性変形部は、その内部に中空部分を有する弾性変形可能な枠体構造を備えている。
【００２２】
（１１）上記弾性変形部は、上記ヘッド本体と平行に延びる薄肉板状の変形部本体と、この変形部本体の先端に所定の傾斜角度をもって一体形成された薄肉板状のテープ案内部とからなる。
【００２３】
（１２）上記弾性変形部は、骨組み部材から一体形成された弾性変形可能な骨組み構造を備えてなる。
【００２４】
（１３）上記弾性変形手段は、上記ヘッド本体の母材と同一材料からなる弾性変形部がヘッド本体の基端側部位に一体形成されてなる。
【００２５】
（１４）上記弾性変形部は、上記ヘッド本体よりも小さな断面積を有している少なくとも一本の直線棒から形成されている。
【００２６】
（１５）上記弾性変形部は、上記ヘッド本体よりも小さな断面積を有するジグザグ構造を備えている。
【００２７】
（１６）上記ヘッド本体が上記ケースのヘッド保持部に軸心まわりに回転可能に取付けられた回転ヘッド構造を備えてなる。
【００２８】
（１７）上記ヘッド本体の回転方向位置を位置決め操作する回転操作部を備え、この回転操作部は、上記ヘッド本体のテープ加圧転写姿勢を示すヘッド姿勢表示部を兼務する構成とされている。
【００２９】
（１８）上記回転操作部は、上記ヘッド本体のテープ加圧転写姿勢と関連付けて設けられた操作レバーを備えてなり、この操作レバーは、壁紙補修具のケースに貫設されたスリット状の操作案内部を介して、上記ケースの外部に突出状に臨んでいる。
【００３０】
（１９）上記スリット状の操作案内部は、上記操作レバーの回転方向操作範囲を規制して、上記ヘッド本体のテープ加圧転写姿勢を制御する構造とされている。
【００３１】
（２０）上記ヘッド本体がヘッド保持部に固定的に取付けられた固定ヘッド構造を備えてなる。
【００３２】
（２１）上記ヘッド本体の先端加圧部は、上記ケースの把持面に対してほぼ平行に延びる直線状端縁の形態とされている。
【００３３】
（２２）上記ケースに、被補修部に被覆転写された補修膜を均一に押圧するための押圧ローラが自由回転可能に設けられている。
【００３４】
（２３）上記押圧ローラは、弾性材料からなるとともに、円筒押圧面を有する弾性円筒ローラの形態とされている。
【００３５】
（２４）上記押圧ローラは、硬質材料の本体表面部に弾性材料からなる弾性表面層が形成されてなるとともに、円筒押圧面を有する弾性円筒ローラの形態とされている。
【００３６】
（２５）上記繰出リールおよび巻取リールを備えるテープカートリッジが、上記ケース内に直接的に装着されてなる使い切りタイプである。
【００３７】
（２６）上記繰出リールおよび巻取リールを備えるテープカートリッジが、上記ケース内に取外し交換可能に装着されて、補修材テープの交換が可能なリフィルタイプである。
【発明の効果】
【００３８】
本発明の壁紙補修具によれば、片手による手持ち操作可能なケースと、このケース内に回転可能に装着されて、補修材テープを繰り出し可能に巻装した繰出リールと、上記ケース内に回転可能に装着されて、使用後の補修材テープを巻き取り回収する巻取リールと、この巻取リールおよび上記操出リールを相互に連動回転させる連動機構と、上記繰出リールおよび巻取リールにおける補修材テープの繰出速度および巻取速度を同期させるクラッチ機構と、上記ケースの先端部に配設されて、上記繰出リールから繰り出される補修材テープを壁紙の被補修部上に加圧転写する転写ヘッドとを備えてなり、上記補修材テープは、基材テープの表面に薄膜状の補修膜が剥離可能に保持される構造を備え、上記転写ヘッドは、上記補修材テープを加圧転写する先端加圧部が壁紙表面の凹凸形状に対応して弾性変形する特性を発揮する弾性変形手段を備えるから、以下に列挙するような種々の優れた特有の効果が発揮され、刷毛やヘラ等の補修用具が不要で作業者の手を汚すこともなく、作業が容易かつ安定して行え、しかも均一でかつ良好な仕上り状態を得ることができる壁紙補修具を提供することができる。
【００３９】
（１）補修材テープが基材テープの表面に薄膜状の補修膜が剥離可能に保持される構造を備え、片手による手持ち操作可能なケース内に、補修材テープを繰り出し可能に巻装した繰出リールと、使用後の補修材テープを巻き取り回収する巻取リールとが連動可能に設けられるとともに、上記ケースの先端部に、上記繰出リールから繰り出される補修材テープを壁紙の被補修部上に加圧転写する転写ヘッドが設けられてなるから、従来この種作業の必需品であった刷毛やヘラ等の補修用具を使用することなく、壁紙の補修を行うことができる。
【００４０】
すなわち、壁紙補修具のケースを片手で把持して、ケース先端部の転写ヘッドを壁紙の被補修部（例えば、ネジ穴、ピン穴、破れ、シミ、落書き等の傷や汚れ）に密着状に押し当て、そのままケースを壁紙表面に沿って移動させることで、補修材テープの補修材が剥離して上記被補修部上に転写され、これにより、被補修部を被覆補修することができる。
【００４１】
換言すれば、本発明の壁紙補修具の構造を備えることにより、補修膜が極薄の薄膜状であっても容易に取り扱うことができる。
【００４２】
（２）上記補修材テープとして、補修対象となる壁紙の色彩、模様等と同一または類似の色彩、模様等を表現する補修膜を備えたものを選択使用することにより、補修膜により補修された部位が周囲の壁紙の色彩、模様等と一体となって壁紙に良くなじみ、補修された痕跡が視覚的に残り難い。
【００４３】
（３）上記補修材テープ上の上記補修膜が極薄の薄膜（厚さ約１０〜６０μm、図示の実施形態においては厚さ約１９〜２９μｍ程度）の形態とされていることにより、被補修部上に転写された補修膜は、厚みという点でも壁紙によくなじみ、上記（２）の効果との相乗効果により、補修された痕跡が残らないばかりか、壁紙の凹凸模様もリアルに再現することができる。
【００４４】
換言すれば、補修膜が極薄（薄膜）であるため、壁紙の被補修部表面上に転写された際に、壁紙表面との境界部分つまり補修膜の外周輪郭の部位に生じる段差が極めて小さくて、物理的に壁紙表面とほぼ面一状態となり、このため視覚的にはもちろん触覚的にも確認され難く、あたかも補修膜による補修がなされていないような感覚を第三者に与え、さらには補修膜が壁紙の凹凸模様にも忠実に沿う結果、凹凸模様の凹凸度が補修膜の存在により減少したり消滅したりすることはなく、壁紙本来の凹凸模様がそのまま補修膜の表面に現れる。
【００４５】
（４）さらに、補修膜による補修幅は、転写ヘッドおよび補修膜の幅寸法の変更により自由に設定可能であり、特に必要最小限度の補修幅とすることで、補修膜が極薄（薄膜）である点（段差が生じない）と相まって、補修された部分がさらに視覚的に目立たなくなり、第三者をしてあたかも補修していないような状態がより顕著となる。
【００４６】
（５）上記（１）のごとく、片手に把持した壁紙補修具の転写ヘッドを壁紙の被補修箇所に押し当てながら、壁紙補修具を壁紙表面に沿って移動させるだけで、被補修箇所を被覆補修することができるため、壁紙補修具の取扱いが簡単かつ容易で、補修作業にも熟練を要せず、老若何女を問わず、仕上り状態に個人差も出にくく均一でかつ良好な仕上り状態（補修効果）が得られる。
【００４７】
（６）上記（１）のごとく、作業者は、壁紙補修具を片手に把持した状態で補修作業を行うため、補修材テープに直接手を触れることはなく、従来の液体またはペースト状の補修剤のように作業者の手を汚すことがない。
【００４８】
（７）補修材テープが、例えば、基材テープの表面に、感圧接着性を有する補修塗料層が剥離可能に保持されて、補修膜が形成されてなる形態とされるとともに、補修塗料層が転写後直ちに手を触れることができるドライタイプのものが採用されることにより、転写と同時に補修作業が完了する。
【００４９】
したがって、従来の補修剤による補修作業のように、補修剤が乾燥するまである程度の時間を要して、乾燥途中で補修された部位に触れて補修効果を損なってしまうというおそれもない。
【００５０】
（８）上記ケースに、被補修箇所に被覆転写された補修膜を均一に押圧するための押圧ローラが自由回転可能に設けられていることにより、被補修部上に転写された補修膜を均一に押圧して、補修膜の転写塗着性を向上することができる。これにより、転写された補修膜の外周輪郭と壁紙の表面との境界が外観的にぼかされて、補修膜表面と壁紙表面とが自然に連続するような仕上がり感を得ることができる。
【００５１】
（９）特に、上記押圧ローラが、弾性材料からなるとともに、円筒押圧面を有する弾性円筒ローラの形態とされていることにより、上記（８）の効果がより有効に発揮されて、転写された補修膜の壁紙に対するなじみ度がさらに増して、壁紙の凹凸模様もよりリアルに再現することができる。
【００５２】
（１０）上記押圧ローラが上記ケースに設けられていることにより、補修作業の最終段階において必要に応じて行われる、補修膜を壁紙に確実に密着させるための押圧作業を、手指を直接触れずに上記押圧ローラにより実行できるから、補修膜表面が手指による手垢等によって汚染されるおそれはない。
【図面の簡単な説明】
【００５３】
【図１】本発明の実施形態１である壁紙補修具を示す斜視図である。
【図２】同壁紙補修具のケース本体内部を示す正面図である。
【図３】同壁紙補修具の図２のIII-III線に沿った断面図である。
【図４】同壁紙補修具を用いた壁紙の補修作業の説明図である。
【図５】同壁紙補修具の使用説明図で、図５（ａ）は同壁紙補修具による壁紙の被補修箇所を示す正面図、図５（ｂ）は同補修箇所が壁紙補修具の補修材で被覆補修される状態を示す正面図である。
【図６】本発明の実施形態２である壁紙補修具を示す斜視図である。
【図７】同壁紙補修具のケース本体内部を示す正面図である。
【図８】同壁紙補修具の転写ヘッドの要部を示し、図８（ａ）は弾性変形構造を備えるヘッド本体の斜視図、図８（ｂ）は同じく同ヘッド本体の平面図、図８（ｃ）は同じく同ヘッド本体の側面図である。
【図９】同壁紙補修具の使用説明図で、図９（ａ）は同壁紙補修具による壁紙の被補修箇所を示す正面図、図９（ｂ）は同補修箇所が壁紙補修具の補修材で被覆補修される状態を示す正面図である。
【図１０】本発明の実施形態３である壁紙補修具における転写ヘッドの要部を示し、図１０（ａ）は弾性変形構造を備えるヘッド本体の斜視図、図１０（ｂ）は同じく同ヘッド本体の平面図、図１０（ｃ）は同じく同ヘッド本体の側面図である。
【図１１】本発明の実施形態４である壁紙補修具における転写ヘッドの要部を示し、図１１（ａ）は弾性変形構造を備えるヘッド本体の斜視図、図１１（ｂ）は同じく同ヘッド本体の平面図、図１１（ｃ）は同じく同ヘッド本体の側面図である。
【図１２】本発明の実施形態５である壁紙補修具における転写ヘッドの要部を示し、図１２（ａ）は弾性変形構造を備えるヘッド本体の斜視図、図１２（ｂ）は同じく同ヘッド本体の平面図、図１２（ｃ）は同じく同ヘッド本体の側面図である。
【図１３】本発明の実施形態６である壁紙補修具における転写ヘッドの要部を示し、鵜１３（ａ）は弾性変形構造を備えるヘッド本体の斜視図、図１４（ｂ）は同じく同ヘッド本体の平面図、図１３（ｃ）は同じく同ヘッド本体の側面図である。
【図１４】本発明の実施形態７である壁紙補修具における転写ヘッドの要部を示し、図１４（ａ）は弾性変形構造を備えるヘッド本体の斜視図、図１４（ｂ）は同じく同ヘッド本体の平面図、図１４（ｃ）は同じく同ヘッド本体の側面図である。
【図１５】本発明の実施形態８である壁紙補修具における転写ヘッドの要部を示し、図１５（ａ）は弾性変形構造を備えるヘッド本体の斜視図、図１５（ｂ）は同じく同ヘッド本体の平面図、図１５（ｃ）は同じく同ヘッド本体の側面図である。
【図１６】本発明の実施形態９である壁紙補修具における転写ヘッドの要部を示し、図１６（ａ）は弾性変形構造を備えるヘッド本体の斜視図、図１６（ｂ）は同じく同ヘッド本体の平面図、図１６（ｃ）は同ヘッド本体の弾性変形構造を拡大して示す側面図である。
【図１７】本発明の実施形態１０である壁紙補修具における転写ヘッドの要部を示し、図１７（ａ）は弾性変形構造を備えるヘッド本体の斜視図、図１７（ｂ）は同じく同ヘッド本体の平面図、図１７（ｃ）は同じく同ヘッド本体の側面図である。
【図１８】本発明の実施形態１１である壁紙補修具における転写ヘッドの要部を示し、図１８（ａ）は弾性変形構造を備えるヘッド本体の斜視図、図１８（ｂ）は同じく同ヘッド本体の平面図、図１８（ｃ）は同ヘッド本体の弾性変形構造を拡大して示す側面図である。
【図１９】本発明の実施形態１２である壁紙補修具における転写ヘッドの要部を示し、図１９（ａ）は弾性変形構造を備えるヘッド本体の斜視図、図１９（ｂ）は同じく同ヘッド本体の平面図、図１９（ｃ）は同じく同ヘッド本体の側面図である。
【図２０】本発明の実施形態１３である壁紙補修具における転写ヘッドの要部を示し、図２０（ａ）は弾性変形構造を備えるヘッド本体の斜視図、図２０（ｂ）は同じく同ヘッド本体の平面図、図２０（ｃ）は同じく同ヘッド本体の側面図である。
【図２１】本発明の実施形態１４である壁紙補修具における転写ヘッドの要部を示し、図２１（ａ）は弾性変形構造を備えるヘッド本体の斜視図、図２１（ｂ）は同じく同ヘッド本体の平面図、図２１（ｃ）は同じく同ヘッド本体の側面図である。
【図２２】本発明の実施形態１５である壁紙補修具を示す斜視図である。
【図２３】同壁紙補修具のケース本体内部を示す正面図である。
【図２４】同壁紙補修具を分解して示す斜視図である。
【図２５】同壁紙補修具の転写ヘッドの回転構造を一部断面で示す拡大側面図である。
【図２６】同壁紙補修具の使用説明図で、図２６（ａ）は第１の使用状態、図２６（ｂ）第２の使用状態、図２６（ｃ）は第３の使用状態および図２６（ｄ）は第４の使用状態をそれぞれ示す斜視図である。
【図２７】本発明の実施形態１６である壁紙補修具のテープカートリッジを分解して示す斜視図である。
【図２８】本発明の実施形態１７である壁紙補修具を分解して示す斜視図である。
【図２９】本発明の実施形態１８である壁紙補修具を分解して示す斜視図である。
【図３０】本発明の実施形態１９である壁紙補修具を示し、図３０（ａ）は正面図、図３０（ｂ）は背面図である。
【図３１】同壁紙補修具の押圧ローラの取付構造を示し、図３１（ａ）は、ケース本体内部を示す正面図、図３１（ｂ）は図３に対応した断面図である。
【図３２】同壁紙補修具の使用説明図で、図３２（ａ）は同壁紙補修具の補修材により壁紙の被補修箇所を被覆補修する状態示す正面図、３２（ｂ）は同被補修された補修テープを押圧ローラにより押圧処理して仕上げる状態を示す正面図である。
【発明を実施するための形態】
【００５４】
以下、本発明の実施形態を図面に基づいて詳細に説明する。なお、図面全体にわたって同一の符号は同一の構成部材または要素を示している。
【００５５】
本発明に係る壁紙補修具を図１〜図５に示し、この壁紙補修具１は、具体的には、建築物の室内の
1409147579258_14
や
1409147579258_15
の表面を形成する壁紙Ｗに生じたネジ穴、ピン穴、破れ、シミ、落書き等の傷や汚れを被覆補修するために使用されるものであって、片手による手持ち操作可能なケース２内に、補修材テープＴを繰出し可能に巻装した繰出リール３と使用後の補修材テープＴ´を巻き取り回収する巻取リール４とが回転可能に装着されるとともに、上記ケース２の先端部に、上記繰出リール３から繰り出される補修材テープＴの薄膜状の補修膜Ｆを被補修箇所（被補修部）Ｐ上に加圧転写する転写ヘッド５が突設されてなる。
【００５６】
また、上記両リール２、３は、連動機構６により相互に連動可能に連係された自動巻取り式とされるとともに、クラッチ機構７により繰出リール３と巻取リール４における補修材テープＴ（Ｔ´）の繰出速度および巻取速度が同期する構成とされている。
【００５７】
ケース２は、図示のごとく、上記両リール２、３を内装し得る正面輪郭形状寸法と幅寸法を備える偏平な箱状とされるとともに、具体的なケース２の外周形状寸法は、上記転写ヘッド５により補修材テープＴの加圧転写動作を行うに際して、人間工学的にケース２を手持ち操作可能なように設計されている。
【００５８】
このケース２は射出成形等により一体成形されたプラスチック製のもので、ケース本体２aとキャップ体２ｂとからなる分割構造とされている。このケース２の先端部には、上記転写ヘッド５を内外に挿通するヘッド挿通部８が形成される。
【００５９】
上記連動機構６は、上記両リール２、３の外周部に設けられた駆動歯車９と従動歯車１０が互いに噛合されてなる。
【００６０】
具体的には、図２および図３に示すように、駆動歯車９は、ケース２内に一体形成された支軸１１に自由回転可能に軸支されるとともに、この駆動歯車９の円筒ボス部１２の外周に、補修材テープＴを巻装した繰出リール３の繰出円筒１３が後述する摩擦部材１８を介して相対回転可能に軸支されている。
【００６１】
一方、上記従動歯車１０は、ケース２内に一体形成された支軸３０に自由回転可能に軸支されるとともに、この従動歯車１０の側部に上記巻取リール４が一体形成されている。
【００６２】
そして、上記駆動歯車９と従動歯車１０が図示のごとく互いに噛合されることにより、上記繰出リール３と巻取リール４が相互に連動する自動巻取り式とされている。
【００６３】
これに関連して、駆動歯車９は、上記円筒ボス部１２とリム部１４が４本のスポーク１５、１５、…により同軸状に一体形成されるとともに、相対向する一対のスポーク１５、１５には、先端に係止爪１６aを有する一対の円弧状ラチェットアーム１６、１６が形成されている。
【００６４】
そして、上記ラチェットアーム１６、１６の弾性により、係止爪１６a、１６aが、ケース本体２aの内面に円環状に一体形成された多数の爪部１７、１７、…に弾発的に係脱可能に係合して、上記繰出リー２と巻取リール４の自由回転を防止している。
【００６５】
また、上記クラッチ機構７は繰出リール３の回転支持部に設けられている。具体的には、上記繰出リール３は、その繰出円筒１３が上記駆動歯車９の円筒ボス部１２に相対回転可能に軸支され、これら円筒ボス部１２の円筒外周と繰出円筒１３の円筒内周との間に、前述した弾性を有する環状の摩擦部材１８が摩擦係合した状態で介装されてなる。
【００６６】
そして、繰出リール３から繰り出される補修材テープＴは、ケース２内に一体形成された案内ピン３１を介して、上記転写ヘッド５の片側テープ走行面に沿って先端加圧部５aへ案内された後、この先端加圧部５aを経由して反転され、使用後の補修材テープＴ´（後述）として、さらに反対側テープ走行面に沿って案内されて、転写ヘッド５の後端部の楕円筒案内部５ｂを経て上記巻取リール４に巻回される。
【００６７】
この場合、繰出リール３と巻取リール４は上記連動機構６により相互に連動して回転するとともに、繰出リール３と巻取リール４における補修材テープＴ（Ｔ´）の繰出速度と巻取速度は上記クラッチ機構７により同期される。
【００６８】
すなわち、壁紙補修具１の使用に伴い、経時的に、繰出リール３における補修材テープＴの外径が次第に小さくなるのに反して、巻取リール４における補修材テープＴ´の外径は次第に大きくなる一方、上記繰出リール３と巻取リール４の回転比（上記連動機構６の歯車比に対応）は常に一定である。このため、巻取リール４のテープ巻取速度は繰出リール３のテープ繰出速度に比較して経時的に速くなり、その結果、補修材テープＴ（Ｔ´）にかかる張力も経時的に増していくところ、上記クラッチ機構７の同期作用によりこれら両速度が同期されて、補修材テープＴ（Ｔ´）にかかる張力もほぼ一定に保持される。なお、クラッチ機構７の具体的構成は、同一機能を有する他の構成に変更可能である。
【００６９】
補修材テープＴは、補修材を取扱い易いテープの形態としたもので、基材テープＴ´の表面に薄膜状の補修膜Ｆが剥離可能に保持される構造を備えてなる。
【００７０】
補修材テープＴの具体的構造としては、（i)基材テープＴ´の表面に、感圧接着性を有する補修塗料層が剥離可能に保持されて、上記補修膜Ｆが形成される構造、（ii）基材テープＴ´の表面に、剥離剤層、補修塗料層および感圧接着剤層が順次積層されて、上記補修膜Ｆが形成される構造が好適に採用される。
【００７１】
図示の実施形態の補修材テープＴとしては、ポリエステルフィルム、アセテートフィルム等からなるフィルム状のプラスチック製基材テープＴ´（厚さ約４〜６０μm、図示の実施形態においては厚さ１２μｍ程度）の表面に、塩化ビニル−酢酸ビニル共重合樹脂、低分子ポリエチレン等からなる剥離剤層が形成され、その上に補修塗料層が形成され、さらにその上に加圧接着性を有するポリウレタン等からなる感圧接着剤層が施されてなるものが使用され、上記補修塗料層と感圧接着剤層が転写膜としての薄膜状の補修膜Ｆ（厚さ約１０〜６０μm、図示の実施形態においては厚さ約１９〜２９μｍ程度）を形成している。また、上記補修塗料層としては、転写後直ちに手を触れることができるドライタイプの塗料からなるものが採用されている。
【００７２】
上記補修膜Ｆは、補修対象となる壁紙Ｗの模様や色彩に対応したものが選択的に採用され、具体的には、各種壁紙Ｗの模様や色彩に対応した模様や色彩を有する複数種類の補修膜Ｆの補修材テープＴが予め用意され、これのいずれかが対象となる壁紙のＷの模様や色彩に対応して選択的に使用される。
【００７３】
ちなみに、本実施形態の壁紙補修具１の主たる補修対象は、壁紙Ｗに生じた破れ、シミ、落書き等の小さな傷や汚れであることから、通常は、壁紙Ｗの地色に近い色彩を有する単色の補修膜Ｆの補修材テープＴが選択使用されることで、被補修箇所Ｐ上に転写された補修膜Ｆは壁紙の模様や色彩によくなじみ、視覚的に目立たない。
【００７４】
転写ヘッド５は、繰出リール３から繰り出される補修材テープＴを壁紙の被補修部上に加圧転写するもので、上記ケース２の先端部に突出して設けられており、補修材テープＴを案内する機能と加圧する機能を兼備する。
【００７５】
転写ヘッド５は、具体的には、ヘッド本体２０と取付部２１とからなるとともに、壁紙の補修に適した特性を発揮する弾性変形構造（弾性変形手段）２５を備える。
【００７６】
ヘッド本体２０は、所望の被補修個所（被補修部）Ｐ、例えば図５（ａ）に示すように、壁紙Ｗに生じた小さな破れ、シミ、落書き等の傷や汚れを的確に被覆隠蔽するのに適した形状とされている。
【００７７】
図示の実施形態のヘッド本体２０は、補修材テープＴよりも若干幅広の矩形状を有する薄肉の板状体とされるとともに、図２に示すように、その先端部分が、側面から見てある程度尖った形状、つまり先端に向けて次第に薄くなるような先細のテーパ形状断面を有してなる。
【００７８】
また、ヘッド本体２０の平坦な両側面２０ａ、２０ｂは、補修材テープＴ（Ｔ´）を走行案内するテープ走行面を形成するとともに、ヘッド本体２０の先端は、補修材テープＴを加圧する先端加圧部５ａとされている。この先端加圧部５ａは、上記テープ走行面２０ａ、２０ｂにおけるテープ走行方向に直交する直線縁の形態とされている。ヘッド本体２０の両側縁には、補修材テープＴの走行を案内するガイドフランジ２２、２２が形成されている。
【００７９】
取付部２１は、図２に示すように楕円筒形状とされて、その断面楕円形状の内径穴２１ａがケース本体２ａの内面に一体形成された断面楕円形状の支持ピン４４aに嵌合固定されて、これによりヘッド本体２０の基端部がケース本体２ａつまりケース２に固定的に取り付けられている。また、上記取付部２１の楕円筒外周面は、上述したように、使用後の補修材テープＴ´を走行案内する楕円筒案内部５ｂを形成している。
【００８０】
弾性変形構造（弾性変形手段）２５は、転写ヘッド５の先端加圧部５ａが壁紙表面の凹凸形状に対応して弾性変形する特性を発揮するためのものである。この目的のため、弾性変形構造２５には、以下の設計条件を満たすことが求められる。
【００８１】
転写される補修膜Ｆは極薄の薄膜状で強度的に非常に弱いものであるが、転写対象となる面が平坦面であれば、転写ヘッド５の先端加圧部５ａがある程度硬くても、加圧転写により破れることなく確実に密着状態で転写することができる。
【００８２】
しかしながら、補修対象である壁紙Ｗは平坦でなく凹凸の多い表面を有する。つまり、壁紙Ｗの場合、壁面を構成する下地材表面は本来的に多数の大小さまざまな凹凸があるため、壁面に張設する際にこれらの凹凸面を壁紙Ｗの表面がそのまま拾ってしまい、また壁紙Ｗ自体の材質からくる多数の小さな凹凸もあり、さらには壁紙Ｗの凹凸模様による凹凸もあり、壁紙Ｗの表面には大小さまざまな凹凸が多数存在する。したがって、このように多数の凹凸を有する壁紙Ｗの表面に対しては、補修膜Ｆが忠実に凹凸に沿って密着できないと、転写ムラが生じて、一部が浮いてしまう傾向があり、これらの浮いた部分は転写ができない。
【００８３】
また、このように転写が不十分だと、補修膜の浮いた部分が基材テープＴ´状に残ってしまい、その結果、使用後の補修材テープＴ´の巻き取り回収に不具合が発生する。
【００８４】
これらの転写不良を防止して、確実な転写を行うためには、極薄で柔らかく弱い補修膜Ｆを壁紙Ｗの表面の多数の凹凸に忠実に沿わせて加圧する必要があり、このような条件を満たす柔軟性が転写ヘッド５の先端加圧部５ａの弾性に求められる。
【００８５】
弾性変形構造２５は、転写ヘッド５の先端加圧部５ａが上記のような弾性特性を発揮できるように設計される。
【００８６】
図示の実施形態においては、ヘッド本体２０自体の構成材料が上記弾性を発揮し得る特性を有するプラスチック材料で形成されている。
【００８７】
換言すれば、ヘッド本体２０自体が上記弾性変形構造２５を備え、その構成材料（母材）として、本来的機能である上記先端加圧部５ａに上記弾性変形作用を付与するとともに、先端加圧部５ａとしての加圧機能を担保し得る弾性材料が適用され、例えば、軟質プラスチック、柔軟性に優れた熱可塑性エラストマーあるいはゴム状樹脂が好適に用いられる。
【００８８】
軟質プラスチックとしては、例えば、ポリエチレン、ポリプロピレン、ポリエチレンテレフタレート、エチレン―酢酸ビニル共重合体などが挙げられる。可塑剤を必要に応じて併用してもよい。
【００８９】
熱可塑性エラストマとしては、例えば、スチレンーブタジエンースチレンブロック共重合体（ＳＢＳ）、スチレンーエチレンーブチレンースチレンブロック共重合体（ＳＥＢＳ）、スチレンーブタジエンゴム、スチレンーイソプレンースチレンブロック共重合体（ＳＩＳ）、スチレンーエチレン／プロピレンブロック共重合体（ＳＥＰ）などが挙げられる。可塑剤を必要に応じて併用してもよい。
【００９０】
ゴム状樹脂としては、エチレン−プロピレンゴム（ＥＰＲ）、ウレタンゴム、フッ素ゴム、アクリロニトリルーブタジエンゴム、エチレンー酢酸ビニル共重合体、エチレンーエチルアクリレート共重合体、クロロスルホン化ポリエチレン、環化ゴムなどが挙げられる。可塑剤を必要に応じて併用してもよい。
【００９１】
なお、ヘッド本体２０を構成する板状体の肉厚が比較的小さい場合には、必ずしも図示のようなテーパをもった形状とせずに、前後方向全体にわたって同一の肉厚を有する形状でも良く、要するに、上記ヘッド本体２０の先端加圧部５ａが上記弾性を有するとともに、的確に被補修箇所Ｐを位置決め指示しかつ転写被覆できる程度の厚さ（尖り度）を有する構造とされていれば良い。
【００９２】
次に、以上のように構成された壁紙補修具１により、建築物の室内の
1409147579258_16
や
1409147579258_17
の表面を形成する壁紙Ｗに生じたネジ穴、ピン穴、破れ、シミ、落書き等の傷や汚れなどの被補修箇所Ｐ、一例として、図４に示すような室内の壁３５に貼設された壁紙Ｗの被補修箇所Ｐを補修する場合を例にとって説明すると、ケース２を手指にて把持して、まず、壁紙補修具１の転写ヘッド５の先端加圧部５ａを、壁面の壁紙Ｗの被補修箇所Ｐの開始端に密着状に押し当てて（図４（ａ）参照）、そのままケース２を壁紙Ｗの表面に沿って横方向へ引いて移動させ、被補修箇所Ｐの終端で停止させる（図４（ｂ）参照）。
【００９３】
以上の操作により、上記転写ヘッド５の先端加圧部５ａにおける補修材テープＴ上の補修膜Ｆが、上記基材テープＴ´から剥離して上記被補修箇所Ｐ上に加圧転写され、これにより、傷や汚れなどの被補修箇所Ｐが被覆補修（隠蔽）されることとなる。
【００９４】
この場合、１回の加圧転写動作では補修膜Ｆが上記被補修箇所Ｐを隠蔽しきれないときは、複数回重ねて補修膜Ｆを加圧転写する。最後に、必要に応じて、転写された補修膜Ｆを壁紙Ｗに確実に密着させるために、補修膜Ｆを手指にて押える（図４（ｃ））。
【００９５】
しかして、例えば、図５（ａ）に示すように、壁紙Ｗの一部に小さな破れ（被補修箇所）Ｐが生じた場合、壁紙補修具１を用いて上記補修方法を実行することにより、上記破れＰは、図５（ｂ）に示すように、補修膜Ｆによって被覆補修（隠蔽）されて、壁紙Ｗは視覚的に破れＰのない元の状態に復帰される。
【００９６】
なお、上記破れＰが比較的大きい場合は、壁紙Ｗはこの破れＰの部分が外側へ捲れあがってしまう傾向にある。このような場合には、本実施形態の壁紙補修具１により補修するに先立って、接着剤等により上記破れＰの捲れあがった部分を壁３５表面に接着させておくことが肝要である。
【００９７】
すなわち、図５（ｂ）は理解を容易にするため、補修膜Ｆの輪郭が明確に描かれているが、実際には、補修膜Ｆは薄膜状のもので、その厚さは約１０〜６０μm（図示の実施形態においては厚さ約１９〜２９μｍ程度）であり、被補修箇所Ｐ上に転写された補修膜Ｆは壁紙Ｗによくなじみ、壁紙Ｗとの境界は図示のものほど明確ではなく、実際上視覚的に目立たない。
【００９８】
また、図５に示される壁紙Ｗは凹凸模様３６が施されてなるが、上記補修膜Ｆが薄膜状であるとともに、これを加圧転写する壁紙補修具１の転写ヘッド５の先端加圧部５ａが、弾性変形構造２５の弾性変形作用により、壁紙Ｗ表面の凹凸形状（凹凸模様３６）に追従して弾性変形するので、壁紙Ｗ表面に転写された上記補修膜Ｆは壁紙Ｗによくなじみ、上記凹凸模様３６もリアルに再現される。
【００９９】
以上のように、本実施形態の壁紙補修具１は、片手による手持ち操作可能なケース２と、このケース２内に回転可能に装着されて、補修材テープＴを繰り出し可能に巻装した繰出リール３と、上記ケース２内に回転可能に装着されて、使用後の補修材テープＴ´を巻き取り回収する巻取リール４と、この巻取リール４および上記操出リール３を相互に連動回転させる連動機構６と、上記繰出リール３および巻取リール４における補修材テープＴ（Ｔ´）の繰出速度および巻取速度を同期させるクラッチ機構７と、上記ケース２の先端部に配設されて、上記繰出リール３から繰り出される補修材テープＴを壁紙Ｗの被補修部Ｐ上に加圧転写する転写ヘッド５とを備えてなり、上記補修材テープＴは、基材テープＴ´の表面に薄膜状の補修膜Ｆが剥離可能に保持される構造を備え、上記転写ヘッド５は、上記補修材テープＴを加圧転写する先端加圧部５ａが壁紙Ｗ表面の凹凸形状に対応して弾性変形する特性を発揮する弾性変形構造（弾性変形手段）２５を備えるから、以下に列挙するような種々の優れた特有の効果が発揮され、刷毛やヘラ等の補修用具が不要で作業者の手を汚すこともなく、作業が容易かつ安定して行え、しかも均一でかつ良好な仕上り状態を得ることができる。
【０１００】
（ａ）補修材テープＴは、基材テープＴ´の表面に薄膜状の補修膜Ｆが剥離可能に保持される構造を備え、片手による手持ち操作可能なケース２内に、補修材テープＴを繰り出し可能に巻装した繰出リール３と、使用後の補修材テープＴ´を巻き取り回収する巻取リール４とが連動可能に設けられるとともに、上記ケース２の先端部に、上記繰出リール３から繰り出される補修材テープＴを壁紙Ｗの被補修部Ｐ上に加圧転写する転写ヘッド５が設けられてなるから、従来この種作業の必需品であった刷毛やヘラ等の補修用具を使用することなく、壁紙の補修を行うことができる。
【０１０１】
すなわち、壁紙補修具１のケース２を片手で把持して、ケース２先端部の転写ヘッド５を壁紙Ｗの被補修箇所Ｐ（例えば、ネジ穴、ピン穴、破れ、シミ、落書き等の傷や汚れ）に密着状に押し当て、そのままケース２を壁紙Ｗ表面に沿って移動させることで、補修材テープＴの補修材Ｐが剥離して上記被補修箇所Ｐ上に転写され、これにより、被補修箇所Ｐを被覆補修することができる。
【０１０２】
換言すれば、本実施形態の壁紙補修具１の構造を備えることにより、補修膜Ｆが極薄の薄膜状であっても容易に取り扱うことができる。
【０１０３】
（ｂ）上記補修材テープＴとして、補修対象となる壁紙Ｗの色彩、模様等と同一または類似の色彩、模様等を表現する補修膜Ｆを備えたものを選択使用することにより、補修膜Ｆにより補修された部位が周囲の壁紙Ｗの色彩、模様等と一体となって壁紙Ｗに良くなじみ、補修された痕跡が視覚的に残り難い。
【０１０４】
（ｃ）上記補修材テープＴ´上の補修膜Ｆが極薄の薄膜（厚さ約１０〜６０μm、図示の実施形態においては厚さ約１９〜２９μｍ程度）の形態とされていることにより、被補修箇所Ｐ上に転写された補修膜Ｆは、厚みという点でも壁紙Ｗによくなじみ、上記（ｂ）の効果との相乗効果により、補修された痕跡が残らないばかりか、壁紙Ｗの凹凸模様もリアルに再現することができる。
【０１０５】
換言すれば、補修膜Ｆが極薄（薄膜）であるため、壁紙Ｗの被補修箇所Ｐの表面上に転写された際に、壁紙Ｗの表面との境界部分つまり補修膜Ｆの外周輪郭の部位に生じる段差が極めて小さくて、物理的に壁紙Ｗの表面とほぼ面一状態となり、このため視覚的にはもちろん触覚的にも確認され難く、あたかも補修膜Ｆによる補修がなされていないような感覚を第三者に与え、さらには補修膜Ｆが壁紙Ｗの凹凸模様３６にも忠実に沿う結果、凹凸模様３６の凹凸度が補修膜Ｆの存在により減少したり消滅したりすることはなく、壁紙Ｗ本来の凹凸模様３６がそのまま補修膜Ｆの表面に現れる。
【０１０６】
（ｄ）さらに、補修膜Ｆによる補修幅は、転写ヘッド５および補修膜Ｆの幅寸法の変更により自由に設定可能であり、特に必要最小限度の補修幅とすることで、補修膜Ｆが極薄（薄膜）である点（段差が生じない）と相まって、補修された部分がさらに視覚的に目立たなくなり、第三者をしてあたかも補修していないような状態がより顕著となる。
【０１０７】
（ｅ）上記（ａ）のごとく、片手に把持した壁紙補修具１の転写ヘッド５を壁紙Ｗの被補修箇所Ｐに押し当てながら、壁紙補修具１を壁紙Ｗの表面に沿って移動させるだけで、被補修箇所Ｐを被覆補修することができるため、壁紙補修具１の取扱いが簡単かつ容易で、補修作業にも熟練を要せず、老若何女を問わず、仕上り状態に個人差も出にくく均一でかつ良好な仕上り状態（補修効果）が得られる。
【０１０８】
（ｆ）上記（ａ）のごとく、作業者は、壁紙補修具１を片手に把持した状態で補修作業を行うため、補修材テープＴに直接手を触れることはなく、従来の液体またはペースト状の補修剤のように作業者の手を汚すことがない。
【０１０９】
（ｇ）補修材テープＴが、例えば、基材テープＴ´の表面に、感圧接着性を有する補修塗料層が剥離可能に保持されて、補修膜Ｆが形成されてなる形態とされるとともに、補修塗料層が転写後直ちに手を触れることができるドライタイプのものが採用されることにより、転写と同時に補修作業が完了する。
【０１１０】
したがって、従来の補修剤による補修作業のように、補修剤が乾燥するまである程度の時間を要して、乾燥途中で補修された部位に触れて補修効果を損なってしまうというおそれもない。
【０１１１】
実施形態２
本実施形態は図６〜図９に示されており、ケース２の形状および転写ヘッド５の具体的構造が改変されたものである。
【０１１２】
すなわち、本実施形態の壁紙補修具４０は、その補修作業が人間工学的にケース２を手持ち操作可能なように、具体的には、筆記具感覚で線を横に引くようにケース２を移動させる方式が採用されている。
【０１１３】
ケース２は、図示のごとく、繰出リール３と巻取リール４を内装し得る正面輪郭形状寸法と幅寸法を備える偏平な箱状とされるとともに、その対向する一対の扁平な表裏面２Ａ、２Ｂが手持ち操作時の基準的な把持面とされている。このケース２は実施形態１と同様に射出成形等により一体成形されたプラスチック製のもので、ケース本体２aとキャップ体２ｂとからなる分割構造とされている。また、ケース２の先端部には、転写ヘッド５を内外に挿通するヘッド挿通部８が形成される。
【０１１４】
上記ケース２の先端部に突出して設けられる転写ヘッド５は、具体的には、ヘッド本体２０と取付部４３とからなるとともに、壁紙補修に適した特性を発揮する弾性変形構造（弾性変形手段）４５を備える。
【０１１５】
ヘッド本体２０の基本構成、つまり所望の被補修個所（被補修部）Ｐ、例えば図９（ａ）に示すように、壁紙Ｗに生じた破れ、シミ、落書き等の傷や汚れ（被補修箇所）Ｐを的確に被覆補修（隠蔽）するのに適した形状とされている点は、図７および図８に示すように実施形態１と同様である。
【０１１６】
取付部４３は、図７に示すように、ヘッド本体２０の基端部両側位置に設けられた円筒部４３aと係止凹部４３ｂを有し、上記円筒部４３ａがケース本体２ａの内面に一体形成された支持ピン４４ａに挿入係止されるとともに、上記係止凹部４３ｂがケース本体２ａの内面側部に一体形成された係止凸部４４ｂに嵌合係止されて、これにより、ヘッド本体２０の基端部がケース本体２ａつまりケース２に取付固定されている。
【０１１７】
このヘッド本体２０の取付状態において、その先端加圧部５ａは、上記ケース２の把持面２Ａ、２Ｂに対してほぼ平行に延びる直線状端縁の形態とされ、補修材テープＴをケース２の把持面２Ａ、２Ｂに対しほぼ正対させて、つまり、補修材テープＴの表裏面がケース２の把持面２Ａ、２Ｂとほぼ同一方向に向くように、補修材テープＴを案内する。
【０１１８】
すなわち、図７に示すように、繰出リール３から繰り出される補修材テープＴは、転写ヘッド５の手前において、ケース２内に一体形成された案内ピン４６により角度９０°だけ捻転されて、上記転写ヘッド５の片側テープ走行面２０ａに沿って先端加圧部５ａへ案内された後、この先端加圧部５ａを経由して反転され、使用後の補修材テープＴ´として、さらに反対側テープ走行面２０ｂに沿って案内された後、ケース２内に一体形成された案内ピン４７により上記捩転を元に戻されるか、またはさらに角度９０°だけ捻転されて、上記巻取リール４に巻回される。つまり、上記一対の案内ピン４６、４７は補修材テープＴ（Ｔ´）を捻転するための捻転機構を構成している。
【０１１９】
弾性変形構造（弾性変形手段）４５は、具体的には、上記ヘッド本体２０の母材であるプラスチックと異なる弾性材料からなる弾性変形部５０がヘッド本体の一部に一体結合されてなる。
【０１２０】
図示の実施形態の弾性変形部５０は、ヘッド本体２０の先端部にヘッド成形時またはヘッド成形後に一体結合されて、補修材テープＴを加圧転写するヘッド先端縁つまり上記先端加圧部５ａを形成している。
【０１２１】
弾性変形部５０の構成材料としては、本来的機能である弾性変形材料として適したものであることはもちろん、先端加圧部５ａとしての加圧機能を担保し得るものであることが要求され、具体的には、上記ヘッド本体２０の母材よりも柔軟な弾性材料が使用され、例えば、軟質プラスチック、柔軟性に優れた熱可塑性エラストマーあるいはゴム状樹脂が好適に用いられる。図示の実施形態においては、これらの材料からなる弾性変形部５０が、例えば二色成形によりヘッド本体２０の母材と一体結合されている。
【０１２２】
軟質プラスチックとしては、例えば、ポリエチレン、ポリプロピレン、ポリエチレンテレフタレート、エチレン―酢酸ビニル共重合体などが挙げられる。可塑剤を必要に応じて併用してもよい。
【０１２３】
熱可塑性エラストマとしては、例えば、スチレンーブタジエンースチレンブロック共重合体（ＳＢＳ）、スチレンーエチレンーブチレンースチレンブロック共重合体（ＳＥＢＳ）、スチレンーブタジエンゴム、スチレンーイソプレンースチレンブロック共重合体（ＳＩＳ）、スチレンーエチレン／プロピレンブロック共重合体（ＳＥＰ）などが挙げられる。可塑剤を必要に応じて併用してもよい。
【０１２４】
ゴム状樹脂としては、エチレン−プロピレンゴム（ＥＰＲ）、ウレタンゴム、フッ素ゴム、アクリロニトリルーブタジエンゴム、エチレンー酢酸ビニル共重合体、エチレンーエチルアクリレート共重合体、クロロスルホン化ポリエチレン、環化ゴムなどが挙げられる。可塑剤を必要に応じて併用してもよい。
【０１２５】
また、図示の弾性変形部５０は、上記先端加圧部５ａに平行な所定幅を有する帯状とされているが、必ずしもこのような構造でなくても良く、例えばヘッド本体２０の母材部分との接合強度を高めるため、この接合面が凹凸断面を有する構造とされても良い。さらに、弾性変形部５０は、図示のようにヘッド本体２０の先端部に一体結合されて、補修材テープＴを加圧転写する上記先端加圧部５ａを形成する他、ヘッド本体２０の先端部が母材で形成されるとともに、この先端部の基部を構成する場合など、ヘッド本体２０の一部に一体結合されて、先端加圧部５ａの弾性変形作用が得られる他の構造としても良く、この場合の弾性変形部５０の構成材料としては、本来的機能である弾性変形材料として適したものであれば採用可能である。
【０１２６】
しかして、以上のように構成された壁紙補修具１により、例えば、図９（ａ）に示すように、壁紙Ｗの一部に生じた破れ（被補修箇所）Ｐを実施形態１で説明した補修方法（図４参照）により補修するには、図９（ｂ）に示すように、ケース２を筆記具のような姿勢で把持して、転写ヘッド５の先端加圧部５ａを、壁面の壁紙Ｗの被補修箇所Ｐに密着状に押し当て、そのままケース２を壁紙Ｗの表面に沿って横方向へ引いて移動させる。
【０１２７】
以上の操作により、上記転写ヘッド５の先端加圧部５ａにおける補修材テープＴ上の補修膜Ｆが、基材テープＴ´から剥離して上記被補修箇所Ｐ上に加圧転写され、これにより、上記破れＰが被覆補修（隠蔽）されて、壁紙Ｗは視覚的に破れＰのない元の状態に復帰される。
その他の構成および作用は実施形態１と同様である。
【０１２８】
実施形態３
本実施形態は図１０に示されており、転写ヘッド５の具体的構造が改変されたものである。
【０１２９】
すなわち、本実施形態の転写ヘッド５は、弾性変形構造５５を構成する弾性変形部５６が、ヘッド本体２０を構成する母材部と前後方向へ交互に複数箇所に一体結合されてなる。
【０１３０】
弾性変形部５６は、具体的には、ヘッド本体２０の母材部と前後方向へ交互に複数箇所（図示の場合は３箇所）に一体結合されてなる。弾性変形部５６の構成材料としては、実施形態２と同様、上記ヘッド本体２０の母材であるプラスチックと異なる弾性材料、具体的には、上記ヘッド本体２０の母材よりも柔軟な弾性材料が使用され、例えば、軟質プラスチック、柔軟性に優れた熱可塑性エラストマーあるいはゴム状樹脂が好適に用いられる。図示の実施形態の弾性変形部５６は、例えば二色成形によりヘッド本体２０の母材と一体結合されている。
【０１３１】
また、弾性変形構造６０は、図示のようにヘッド本体２０の先端部を始めとして母材部と交互に一体係合される他、ヘッド本体２０の先端部が母材で形成され、この先端部の基部を弾性変形材料（弾性材料）とされ、この部分を始めとして母材部と前後方向へ交互に複数箇所に一体係合される構成としても良い。
【０１３２】
しかして、このような構成とされることにより、転写ヘッド５のヘッド本体２０は、より大きな弾性変形機能を付与されるとともに、ヘッド本体２０の先端側全体が適度の弾性を有することとなる。
その他の構成および作用は実施形態１または実施形態２と同様である。
【０１３３】
実施形態４
本実施形態は図１１に示されており、転写ヘッド５の具体的構造が改変されたものである。
【０１３４】
すなわち、本実施形態の転写ヘッド５における弾性変形構造（弾性変形手段）６０は、ヘッド本体２０の母材と異なる弾性材料からなる弾性変形部６１がヘッド本体２０の先端部に取外し可能に設けられてなり、この弾性変形部６１の一部が補修材テープＴを加圧転写するヘッド先端縁つまりヘッド先端加圧部５aを形成している。
【０１３５】
具体的には、弾性変形部６１は、実施形態２と同様、上記ヘッド本体２０の母材であるプラスチックと異なる弾性材料からなり、本来的機能である弾性変形材料として適したものであることはもちろん、先端加圧部５aとしての加圧機能を担保し得るものであることが要求され、具体的には、上記ヘッド本体２０の母材よりも柔軟な弾性材料が使用され、例えば、軟質プラスチック、柔軟性に優れた熱可塑性エラストマーあるいはゴム状樹脂が好適に用いられる。
【０１３６】
弾性変形部６１は、図示のごとく断面菱形の前後対称形状とされて、その一方の対向頂部が上記先端加圧部５aをそれぞれ形成する構造とされている。これに対応して、ヘッド本体２０の先端部には、弾性変形部６１の断面形状に対応した断面を有する保持溝６２が形成されて、この保持溝６２に、弾性変形部６１が側方向へ抜き差し可能に保持されている。
【０１３７】
しかして、このような構成とされることにより、転写ヘッド５のヘッド本体２０の先端加圧部５ａは、より大きな弾性変形機能を付与されるとともに、ヘッド本体２０の先端側全体が適度の弾性を有することとなる。
【０１３８】
また、弾性変形部６１が断面菱形の前後対称形状とされるとともに、ヘッド本体２０の保持溝５２に側方向へ抜き差し可能に保持されているため、壁紙補修具１の使用経過に伴って、先端加圧部５ａが経時的に磨耗した場合にも、弾性変形部６１を保持溝５２から一旦抜き出して、その前後位置を逆転してから再度保持溝５２に差し込み装着することにより、新たな先端加圧部５ａを形成することができる。
その他の構成および作用は実施形態１または実施形態２と同様である。
【０１３９】
実施形態５
本実施形態は図１２に示されており、転写ヘッド５の具体的構造が改変されたものである。
【０１４０】
すなわち、本実施形態の転写ヘッド５における弾性変形構造（弾性変形手段）６５は、ヘッド本体２０の母材と同一材料からなる弾性変形部６６がヘッド本体２０の先端部に一体形成されてなり、この弾性変形部６６の一部が上記先端加圧部５aを形成している。
【０１４１】
具体的には、弾性変形部６６は、その内部に中空部分を有する弾性変形可能な枠体構造を備えてなり、図示のものにおいては、ほぼ菱形断面の輪郭形状を有する枠体構造とされ、その先端縁が上記先端加圧部５aとされている。枠体構造における輪郭形状および枠体の肉厚は、本来的機能である弾性変形機能と、先端加圧部５aとしての加圧機能を担保し得るように設計される。
その他の構成および作用は実施形態１または実施形態２と同様である。
【０１４２】
実施形態６
本実施形態は図１３に示されており、転写ヘッド５の具体的構造が改変されたものである。
【０１４３】
すなわち、本実施形態の転写ヘッド５における弾性変形構造（弾性変形手段）７０は、実施形態５と同様、ヘッド本体２０の母材と同一材料からなる弾性変形部７１がヘッド本体２０の先端部に一体形成されてなり、この弾性変形部７１の一部が上記先端加圧部５aを形成している。
【０１４４】
具体的には、弾性変形部７１は、実施形態５の枠体構造を若干改変したものであり、ほぼ三角形断面の輪郭形状を有する外枠の内部に補強部材が設けられた枠体構造とされるとともに、その先端縁がある程度の丸みを帯びた先端加圧部５aとされている。
その他の構成および作用は実施形態５と同様である。
【０１４５】
実施形態７
本実施形態は図１４に示されており、転写ヘッド５の具体的構造が改変されたものである。
【０１４６】
すなわち、本実施形態の転写ヘッド５における弾性変形構造（弾性変形手段）７５は、実施形態５および６と同様、ヘッド本体２０の母材と同一材料からなる弾性変形部７６がヘッド本体２０の先端部に一体形成されてなり、この弾性変形部７６の一部が上記先端加圧部５ａを形成している。
【０１４７】
具体的には、弾性変形部７６は、変形部本体７６ａとテープ案内部７６ｂとからなる。変形部本体７６ａは、ヘッド本体２０と平行に延びる薄肉板状のもので、その先端部が図示のごとく若干上方へ湾曲されている。また、テープ案内部７６ｂは、この変形部本体７６ａの湾曲した先端に所定の傾斜角度をもって一体形成された薄肉板状のものである。テープ案内部７６ｂは、その先端部分が図示のごとく下方へ湾曲されるとともに、その先端縁が上記先端加圧部５aとされている。弾性変形部７６における上記構成部材７６ａおよび７６ｂの形状寸法は、本来的機能である弾性変形機能と、先端加圧部５aとしての加圧機能を担保し得るように設計される。
その他の構成および作用は実施形態５と同様である。
【０１４８】
実施形態８
本実施形態は図１５に示されており、転写ヘッド５の具体的構造が改変されたものである。
【０１４９】
すなわち、本実施形態の転写ヘッド５における弾性変形構造（弾性変形手段）８０は、実施形態７が若干改変されたもので、具体的には、弾性変形部８１が、変形部本体８１ａと一対のテープ案内部８１ｂ、８１ｂとからなる。
【０１５０】
変形部本体８１ａは、ヘッド本体と平行に延びる薄肉板状のものである。また、テープ案内部８１ｂは、変形部本体８１ａの先端に所定の傾斜角度をもって一体形成された薄肉板状のもので、図示のものにあっては、一対のテープ案内部８１ｂ、８１ｂが上記変形部本体８１ａの上下側にそれぞれ対称に延びて形成されるとともに、その結合先端縁がある程度の丸みを帯びた先端加圧部５aとされている。弾性変形部８１における上記構成部材８１ａおよび８１ｂの形状寸法は、本来的機能である弾性変形機能と、先端加圧部５ａとしての加圧機能を担保し得るように設計される。
その他の構成および作用は実施形態７と同様である。
【０１５１】
実施形態９
本実施形態は図１６に示されており、転写ヘッド５の具体的構造が改変されたものである。
【０１５２】
すなわち、本実施形態の転写ヘッド５における弾性変形構造（弾性変形手段）８５も、実施形態７が若干改変されたもので、具体的には、弾性変形部８６が、変形部本体８６ａと一対のテープ案内部８６ｂ、８６ｂとからなる。
【０１５３】
変形部本体８６ａは、ヘッド本体と平行に延びる薄肉板状のものである。また、テープ案内部８６ｂは、連結弾性部８７を介して変形部本体８６ａの先端近傍に所定の傾斜角度をもって一体形成された薄肉板状のもので、図示のものにあっては、一対のテープ案内部８６ｂ、８６ｂが上記変形部本体８６ａの上下側にそれぞれ対称に配置されるとともに、その先端縁がそれぞれ先端加圧部５ａ、５ａを形成している。弾性変形部８６における上記構成部材８６ａ、８６ｂおよび８７の形状寸法は、本来的機能である弾性変形機能と、先端加圧部５ａとしての加圧機能を担保し得るように設計される。
その他の構成および作用は実施形態７と同様である。
【０１５４】
実施形態１０
本実施形態は図１７に示されており、転写ヘッド５の具体的構造が改変されたものである。
【０１５５】
すなわち、本実施形態の転写ヘッド５における弾性変形構造（弾性変形手段）９０は、実施形態５〜９と同様、ヘッド本体２０の母材と同一材料からなる弾性変形部９１がヘッド本体２０の先端部に一体形成されてなり、この弾性変形部９１の一部が上記先端加圧部５ａを形成している。
【０１５６】
具体的には、弾性変形部９１は、骨組み部材から一体形成された弾性変形可能な骨組み構造を備えてなり、図示のごとく、ヘッド本体２０の両側縁に沿って延びる両側枠部材９１ａ、９１ａと、これら両者９ａ、９１ａを橋絡状に連結する直線部材９１ｂ、９１ｃ、９１ｃとから構成されている。
【０１５７】
上記枠部材９１ａは、図１７（ｃ）に示すように、先端を頂点とする三角形状に形成されるとともに、上記直線部材９１ｂの両端がこれら両枠部材９１ａ、９１ａの頂点に接続されて、上記先端加圧部５ａを形成している。また、残りの直線部材９１ｃ、９１ｃは、上記枠部材９１ａ、９１ａの頂点つまり上記加圧先端部５ａ（直線部材９１ｂ）と基端とのほぼ中央部において、その両端が両枠部材９１ａ、９１ａに接続されて、この骨組み構造の補強部材と補修材テープＴの案内部を兼務している。
その他の構成および作用は実施形態５と同様である。
【０１５８】
実施形態１１
本実施形態は図１８に示されており、転写ヘッド５の具体的構造が改変されたものである。
【０１５９】
すなわち、本実施形態の転写ヘッド５における弾性変形構造（弾性変形手段）９５は、実施形態５ないし１０と同様、ヘッド本体２０の母材と同一材料からなる弾性変形部９６がヘッド本体２０の先端部に一体形成されてなり、この弾性変形部９６の一部が上記先端加圧部５ａを形成している。
【０１６０】
具体的には、弾性変形部９６は、骨組み板材から一体形成された弾性変形可能な骨組み構造を備えてなり、図示のごとく、ヘッド本体２０と平行に延びる薄肉板状の変形部本体９６ａと、この変形部本体９６ａの前後方向に所定間隔をもって一体形成された複数（図示の場合は３つ）のテープ案内部９６ｂ、９６ｂ、９６ｂとから構成されている。
【０１６１】
上記テープ案内部９６ｂ、９６ｂ、９６ｂの両先端縁は、図１８（ｃ）に示すように、先端加圧部５ａを頂点とする三角形状の一部をなして、これら先端縁により補修材テープＴの案内部が形成されている。
その他の構成および作用は実施形態５と同様である。
【０１６２】
実施形態１２
本実施形態は図１９に示されており、転写ヘッド５の具体的構造が改変されたものである。
【０１６３】
すなわち、本実施形態の転写ヘッド５における弾性変形構造（弾性変形手段）１００は、ヘッド本体２０の母材と同一材料からなる弾性変形部１０１がヘッド本体２０の基端側部位に一体形成されてなる。
【０１６４】
具体的には、弾性変形部１０１は、ヘッド本体２０よりも小さな断面積を有している一本の直線棒から形成されており、この直線棒１０１は、ヘッド本体２０の基端の幅方向中央部から後方へ直線状に延びて、ヘッド本体２０の基端部分を構成する本体支持部１０２に一体結合されている。
その他の構成および作用は実施形態１と同様である。
【０１６５】
実施形態１３
本実施形態は図２０に示されており、転写ヘッド５の具体的構造が改変されたものである。
【０１６６】
すなわち、本実施形態の転写ヘッド５における弾性変形構造（弾性変形手段）１０５は、その弾性変形部１０６が実施形態１２のものから若干改変されている。
【０１６７】
具体的には、弾性変形部１０６は、二本の直線棒１０６ａ、１０６ａから形成されており、これら直線棒１０６ａ，１０６ａは、ヘッド本体２０の基端の幅方向中央部から後方へ直線状にかつ互いに平行に延びて、ヘッド本体２０の基端部分を構成する本体支持部１０２に一体結合されている。
その他の構成および作用は実施形態１２と同様である。
【０１６８】
実施形態１４
本実施形態は図２１に示されており、転写ヘッド５の具体的構造が改変されたものである。
【０１６９】
すなわち、本実施形態の転写ヘッド５における弾性変形構造（弾性変形手段）１１０は、実施形態１２および１３と同様、ヘッド本体２０の母材と同一材料からなる弾性変形部１１１がヘッド本体２０の基端側部位に一体形成されてなる。
【０１７０】
具体的には、弾性変形部１１１は、図示のごとくヘッド本体２０よりも小さな断面積を有するジグザグ構造を備えてなり、換言すれば、ヘッド本体２０の長手方向に一定間隔をもってスリット状の切込み１１１ａ，１１１ａ，…が設けられてなる。
その他の構成および作用は実施形態１２と同様である。
【０１７１】
実施形態１５
本実施形態は図２２〜図２６に示されており、壁紙補修具の基本構成が改変されたものである。
【０１７２】
すなわち、本実施形態の壁紙補修具１２０は、消耗品としての補修材テープＴが交換可能なカートリッジ式つまりリフィル式の構造を備えてなる。すなわち、壁紙補修具１は、図２２に示すような外観形状を呈するケース２に、図２３および図２４に示すように、転写ヘッド５を備えるテープカートリッジＣが装着されてなり、転写ヘッド５は、弾性変形構造（弾性変形手段）を備えてなる。
【０１７３】
本実施形態の転写ヘッド５に備える弾性変形構造としては、具体的には図示しないが、実施形態１〜１４のいずれの構造２５、４５、５５、６０、６５、７０、７５、８０、８５、９０、９５、１００、１０５および１１０も採用可能であり、これら弾性変形構造のうちのいずれかが目的等に応じて選択的に採用される。
【０１７４】
ケース２は、図示のごとく、テープカートリッジＣを内装し得る正面輪郭形状寸法と幅寸法を備える偏平な箱状とされ、その対向する一対の扁平な表裏面２Ａ、２Ｂが手持ち操作時の基準的な把持面とされている。このケース２は射出成形等により一体成形されたプラスチック製のもので、ケース本体２aとキャップ体２ｂが分離開閉可能とされ、ケース本体２aに上記テープカートリッジＣが取外し可能に装着される構造とされている。また、これらケース２の先端部には、転写ヘッド５を内外に挿通するヘッド挿通部８が形成される。
【０１７５】
テープカートリッジＣは消耗品として交換可能な構成部品であって、カートリッジケース１５０に、補修材テープＴを巻装した繰出リール３と使用後の補修材テープＴ´を回収する回転可能な巻取リール４とが回転可能に装着されるとともに、補修材テープＴを被転写部上に加圧する転写ヘッド５がそのヘッド軸心まわりに回転可能に装着されてなる。
【０１７６】
また、具体的には図示しないが、テープカートリッジＣには、繰出リール３と巻取リール４とを相互に連動する連動機構や、繰出リール３と巻取リール４における補修材テープＴの繰出速度と巻取速度を同期させるクラッチ機構などの主要基本構成部もユニット化されて装置されている。
【０１７７】
カートリッジケース１５０は、上記両リール３、４を収納するカートリッジケースの形態とされた合成樹脂製のものであって、その形状寸法は、上記両リール３、４の保持機能を備える範囲内において、できる限り軽量かつコンパクトになるように設定されており、具体的には、大部分が細い骨組材からなる骨組構造を備えてなる。
【０１７８】
繰出リール３から繰り出される補修材テープＴは、上記転写ヘッド５の片側テープ走行面に沿って先端加圧部５aへ案内された後、この先端加圧部５aを経由して反転され、さらに反対側テープ走行面に沿って案内されて、巻取リール４に巻回される。
【０１７９】
転写ヘッド５は、補修材テープＴを壁紙Ｗに生じた被補修箇所（被補修部）上に加圧するもので、上記カートリッジケース１５０の先端部に設けられており、補修材テープＴを案内する機能と加圧する機能を兼備する。
【０１８０】
転写ヘッド５は、具体的には、ヘッド本体２０、ヘッド保持部１２１および回転操作部１２２を備えてなるとともに、上記ヘッド本体２０がその軸心まわりに回転可能に保持されたいわゆる回転ヘッド構造を備えるものである。また、転写ヘッド５は、上述したように、転写ヘッド５の先端加圧部５ａが壁紙表面の凹凸形状に対応して弾性変形する特性を発揮するための上記弾性変形構造を備えてなる。
【０１８１】
ヘッド本体２０は、補修材テープＴを加圧転写するもので、前述した実施形態１および２と同様の形状構造を備えている。
【０１８２】
図示の実施形態のヘッド本体２０は、補修材テープＴよりも若干幅広の矩形状を有する薄肉の板状体とされるとともに、側面から見てある程度尖った形状、つまり先端に向けて次第に薄くなるような先細のテーパ形状断面を有してなる。ヘッド本体２０は、その平坦な両側面２０ａ、２０ｂがテープ走行面を形成するとともに、その先端が補修材テープＴを加圧する先端加圧部５ａとされている。また、このヘッド本体２０の両側縁には、補修材テープＴの走行を案内するガイドフランジ２２、２２が形成されている。
【０１８３】
ヘッド保持部１２１は、上記ヘッド本体２０をその軸心まわりに回転可能に軸支するもので、具体的には、上記本体支持部である被軸受部１２５と、カートリッジケース１５０に設けられた軸受部１２６とを備えてなる。
【０１８４】
被軸受部１２５は、図２５に示すように、ヘッド本体２０と同心状にかつ一体的に設けられた円筒状のもので、具体的には、その一部にヘッド本体２０への補修材テープＴのセッティング開口１２５ａを有する断面円弧形状に形成されている。
【０１８５】
軸受部１２６は、カートリッジケース１５０の先端部に一体的に設けられている。この軸受部２６は、図２５に示すように、上記被軸受部１２５の外周面に対応した内周面を有する筒状のもので、被軸受部１２５と同様、その一部にヘッド本体２０への補修材テープＴのセッティング開口１２６ａを有する断面円弧形状に形成されている。そして、この軸受部１２６に被軸受部１２５が摺動回転可能に軸支されて、ヘッド本体２０は、後述する所定の回転角度範囲内において、その軸心まわりに自由回転可能とされている。
【０１８６】
回転操作部１２２は、ヘッド本体２０の回転方向位置を位置決め操作するもので、また、ヘッド本体２０のテープ加圧転写姿勢を示すヘッド姿勢表示部を兼務する構成とされている。
【０１８７】
回転操作部１２２は、円柱棒の形態とされるとともに、その先端に操作つまみ１３５ａを有する操作レバー１３５を主要部として備える。この操作レバー１３５は、被軸受部１２５の軸心を中心として径方向外方へ直線状に延びて設けられくとともに、軸受部１２６およびケース２の対応箇所にそれぞれ設けられたスリット状の挿通部１３６および操作案内部１３７を介して、ケース２の外部に突出状に臨んでいる。この場合、軸受部１２６の挿通部１３６は、ヘッド本体２０の軸方向への抜け止め部としても機能している。
【０１８８】
また、上記操作レバー１３５のヘッド本体２０に対する回転方向配設位置は、ヘッド本体２０のテープ加圧転写姿勢と関連付けて設定されるとともに、上記挿通部１３６と操作案内部１３７は、操作レバー１３５のヘッド本体２０回転方向ヘの移動を許容すべく、周方向へ延びて設けられている。特に、ケース２の操作案内部１３７は、操作レバー１３５の回転方向操作範囲を規制して、ヘッド本体２０のテープ加圧転写姿勢を制御する構造とされている。
【０１８９】
次に、操作レバー１３５とヘッド本体２０のテープ加圧転写姿勢との関連付けについて、操作案内部１３７との関係で説明する。図示の実施形態においては、操作案内部１３７の回転方向操作範囲規制部としての構成は、図２５を参照して、以下のように設定されている。
【０１９０】
（ａ）  操作レバー１３５が操作案内部１３７の一方端１３７ａに当接係合した状態つまり垂直下向き位置（図５（ａ）に示す第１の規制位置Ａ）にあるとき、転写ヘッド５のヘッド本体２０は、その先端加圧部５ａが補修材テープＴをケース２の把持面２Ａ、２Ｂに対しほぼ正対させて、つまり、補修材テープＴの表裏面が上記把持面２Ａ、２Ｂとほぼ同一方向に向く（平行する）ように、案内する角度位置にある。
【０１９１】
この場合、繰出リール３から繰り出される未使用の補修材テープＴは、上記ヘッド本体２０の下側にあり、右利きの人が、例えば欧文の一部を修正する場合等に適した横引き使用ができる状態にある。
【０１９２】
（ｂ）  操作レバー１３５が操作案内部１３７の両端１３７ａ，１３７ｂの中間位置にある状態つまり水平位置（図２５（ｂ）に示す第２の規制位置Ｂ）にあるとき、転写ヘッド５のヘッド本体２０は、その先端加圧部５ａが補修材テープＴを繰出リール３と巻取リール４の巻回姿勢のまま、つまり、補修材テープＴの表裏面が上記把持面２Ａ、２Ｂとほぼ垂直な方向に向く（直交する）ように、案内する角度位置にある。
【０１９３】
この場合、繰出リール３から繰り出される未使用の補修材テープＴは、上記ヘッド本体２０の左側にあり、例えば和文の一部を修正する場合等に適した縦引き使用ができる状態にある。
【０１９４】
（ｃ）  操作レバー１３５が操作案内部１３７の他方端１３７ｂに当接係合した状態つまり垂直上向き位置（図２５（ｃ）に示す第３の規制位置Ｃ）にあるとき、転写ヘッド５のヘッド本体２０は、上記（ａ）の場合と天地逆の状態で、その先端加圧部５ａが補修材テープＴをケース２の把持面２Ａ、２Ｂに対しほぼ正対させて、案内する角度位置にある。
【０１９５】
この場合、繰出リール３から繰り出される未使用の補修材テープＴは、上記ヘッド本体２０の上側にあり、右利きの人が、例えば欧文の一部を修正する場合等に適した横押し使用ができる状態、あるいは左利きの人が、例えば欧文の一部を修正する場合等に適した横引き使用ができる状態にある。
【０１９６】
また、以上から明らかなように、操作レバー１３５の向きが未使用の補修材テープＴの対面方向を直接的にかつ視覚的に表示しており（ヘッド姿勢表示部としての機能）、使用者は、この操作レバー１３５の向きを頼りにして、ヘッド本体２０のテープ加圧転写姿勢を確認することができる。
【０１９７】
なお、操作案内部１３７の回転方向操作範囲（図示の場合は最大ほぼ１８０°）、は、操作レバー１３５とヘッド本体２０のテープ加圧転写姿勢との関連付けを考慮して、小さな角度範囲から大きな角度範囲まで所望の値に種々設定可能である。
【０１９８】
しかして、以上のように構成された壁紙補修具１により、例えば、図９（ａ）に示すように、壁紙Ｗの一部に生じた小さな破れ（被補修箇所）Ｐを実施形態１で説明した補修方法（図４参照）により補修するには、前述したように、右利きか左利きかを問わず、操作レバー１３５を目的に応じて回転操作して、最適な転写ヘッド５のヘッド本体２０のテープ加圧転写姿勢（代表的には、図２５（ａ）に示す第１の規制位置Ａ、図２５（ｂ）に示す第２の規制位置Ｂ、図２５（ｃ）に示す第３の規制位置Ｃ）を選択設定するとともに、その姿勢に対応したケース２の把持面（基準的な把持面はケース２の表裏面２Ａ，２Ｂであるが、目的に応じて把持面はケース２の適宜の箇所または面が担当することになる）を手指にて把持して、使用することにより、例えば図２６（ａ）〜（ｄ）に示すような使用方法が可能となる。
【０１９９】
つまり、いずれの使用方法においても、ケース２の把持面２Ａ、２Ｂを手指にて筆記具を持つ姿勢で把持して、転写ヘッド５の先端加圧部５ａを被補修箇所Ｐの開始端に密着状に押し当てて、そのままケース２を壁紙Ｗ表面に沿って移動させ、被補修箇所Ｐの終端（右端）で停止させる。
【０２００】
以上の操作により、上記転写ヘッド５の先端加圧部５ａにおける補修材テープＴの補修膜Ｆが、基材テープＴ´から剥離して上記被補修箇所Ｐ上に転写被覆される。これにより、壁紙Ｗの一部に生じた破れ（被補修箇所）Ｐが被覆補修（隠蔽）される。
【０２０１】
一方、転写ヘッド５のヘッド本体２０は、操作レバー１３５により一応設定されたテープ加圧転写姿勢を基準としつつも、その軸心まわりに自由回転可能であるから、直線的な被補修箇所ばかりでなく、例えば図２６（ｂ）あるいは（ｄ）に示すように、曲線的な被補修箇所について、その曲線に忠実に沿った補修を行うことも可能である。
【０２０２】
実施形態１６
本実施形態は図２７に示されており、実施形態１５における転写ヘッド５の具体的構造が改変されたものである。
【０２０３】
すなわち、本実施形態においては、転写ヘッド５のヘッド本体２０がカートリッジケース１５０に固定的に取付けられた固定ヘッド構造を備えてなる。
【０２０４】
具体的には、ヘッド本体２０の本体支持部１０２がカートリッジケース１５０のヘッド保持部１５１に固定的かつ一体的に取付けられるとともに、ヘッド本体２０の先端加圧部５aが、ケース２の把持面２A、２B（図２２および図２４参照）に対してほぼ平行に延びる直線状端縁の形態、換言すれば、カートリッジケース１５０に軸支された前記両リール３、４の回転軸線に対してほぼ垂直に延びる直線状端縁の形態とされており、これにより、横引き使用専用の構造とされている。
その他の構成および作用は実施形態１５と同様である。
【０２０５】
実施形態１７
本実施形態は図２８に示されており、実施形態１５における転写ヘッド５の具体的構造が改変されたものである。
【０２０６】
すなわち、本実施形態においては、ケース２の先端部に、転写ヘッド５が設けられてなる。この転写ヘッド５の具体的構成は、その取り付け箇所を除いて、実施形態１５と全く同様である。
その他の構成および作用は実施形態１５と同様である。
【０２０７】
実施形態１８
本実施形態は図２９に示されており、実施形態１５の壁紙補修具１２０の基本構造が改変されたものである。
【０２０８】
すなわち、実施形態１５の壁紙補修具１２０は、消耗品としての補修材テープＴが交換可能なカートリッジ式つまりリフィル式の構造を備えものであったが、本実施形態のものは、消耗品としての補修材テープＴを含めてすべての構成部品が消耗品とされてなる使い切りタイプの構造を備えている。
【０２０９】
すなわち、本実施形態の壁紙補修具１は、片手による手持ち操作可能なケース２内に、補修材テープＴを巻装した繰出リール３と使用後の補修材テープＴを回収する巻取リール４とが装着されてなるとともに、ケース２の先端部に、転写ヘッド５がそのヘッド軸心まわりに回転可能に装着されてなる。この転写ヘッド５の具体的構成は、その取り付け箇所を除いて、実施形態１５と全く同様である。
【０２１０】
また、具体的には図示しないが、ケース２のケース本体２a内には、上記繰出リール３と巻取リール４の他、これら両リール３、４を相互に連動する連動機構や、繰出リール３と巻取リール４における補修材テープＴの繰出速度と巻取速度を同期させるクラッチ機構などの主要基本構成部もユニット化されて装置されている。
その他の構成および作用は実施形態１５と同様である。
【０２１１】
実施形態１９
本実施形態は図３０〜図３２に示されており、実施形態１の壁紙補修具１において押圧ローラ１６０を備える構造とされたものである。
【０２１２】
すなわち、本実施形態の壁紙補修具１においては、ケース２に押圧ローラ１６０が設けられている。
【０２１３】
この押圧ローラ１６０は、被補修箇所（被補修部）Ｐに被覆転写された補修膜Fを均一に押圧するためのもので、図示の実施形態においては、ケース２の後端部位に自由回転可能に設けられている。
【０２１４】
具体的には、上記ケース２の後端部において、一対の取付フランジ１６１、１６１がケース２にから後方へ突出して設けられ、これら取付フランジ１６１、１６１の支軸１６１ａ、１６１ａに、上記押圧ローラ１６０が自由回転可能に軸支されている。また、これに対応して、ケース２の後端部には、上記押圧ローラ１６０を収容配置するための収容開口１６２が設けられている。
【０２１５】
押圧ローラ１６０の具体的構成としては、（ｉ）弾性材料からなるとともに、円筒押圧面を有する弾性円筒ローラの形態、または（ii）硬質材料の本体表面部に弾性材料からなる弾性表面層が形成されてなるとともに、円筒押圧面を有する弾性円筒ローラの形態が好適に採用される。
【０２１６】
押圧ローラ１６０の具体的な構成材料としては、壁紙Ｗの表面に対応して弾性変形できる弾性を付与することができる弾性材料が用いられ、好適には、例えば、軟質プラスチック、柔軟性に優れた熱可塑性エラストマーあるいはゴム状樹脂が好適に用いられる。
【０２１７】
軟質プラスチックとしては、例えば、ポリエチレン、ポリプロピレン、ポリエチレンテレフタレート、エチレン―酢酸ビニル共重合体などが挙げられる。可塑剤を必要に応じて併用してもよい。
【０２１８】
熱可塑性エラストマとしては、例えば、スチレンーブタジエンースチレンブロック共重合体（ＳＢＳ）、スチレンーエチレンーブチレンースチレンブロック共重合体（ＳＥＢＳ）、スチレンーブタジエンゴム、スチレンーイソプレンースチレンブロック共重合体（ＳＩＳ）、スチレンーエチレン／プロピレンブロック共重合体（ＳＥＰ）などが挙げられる。可塑剤を必要に応じて併用してもよい。
【０２１９】
ゴム状樹脂としては、エチレン−プロピレンゴム（ＥＰＲ）、ウレタンゴム、フッ素ゴム、アクリロニトリルーブタジエンゴム、エチレンー酢酸ビニル共重合体、エチレンーエチルアクリレート共重合体、クロロスルホン化ポリエチレン、環化ゴムなどが挙げられる。可塑剤を必要に応じて併用してもよい。
【０２２０】
しかして、以上のように構成された壁紙補修具１により、例えば、図９（ａ）に示すように、壁紙Ｗの一部に生じた小さな破れ（被補修箇所）Ｐを実施形態１で説明した補修方法（図４参照）により補修するには、図３２（ａ）に示すように、ケース２を手指にて把持して、転写ヘッド５の先端加圧部５ａを補修対象となる壁面の壁紙Ｗの被補修箇所Ｐに密着状に押し当て、そのままケース２を壁紙Ｗの破れＰに沿って移動させることにより、上記転写ヘッド５の先端加圧部５ａにおける補修材テープＴ上の補修膜Ｆが、基材テープＴ´から剥離して上記破れＰを覆って転写される。
【０２２１】
次に、図３２（ｂ）に示すように、ケース２を前後逆転させて手指にて把持して、押圧ローラ１６０を上記破れＰ上に転写された補修膜Ｆの表面に押し当てて、加圧しながら回転移動させることで、押圧ローラ１６０の円筒面が補修膜Ｆを均一に押圧して、補修膜Ｆの破れＰに対する塗着性を向上させることができる。
【０２２２】
この場合、押圧ローラ１６０自体が壁紙Ｗの表面に沿って密着状に弾性変形するため、被補修箇所である破れＰにおいて、既存の壁Ｗ表面部分との段差のある境界部分に補修膜Ｆを確実に沿わせて密着させることで、外観的にぼかすことができ、上記破れＰと既存の壁Ｗ表面部分とが自然に連続するような段差の目立たない仕上がり感を出すことができる。
【０２２３】
本実施形態のように、上記ケース２に、被補修箇所Ｐに被覆転写された補修膜Ｆを均一に押圧するための押圧ローラ１６０が自由回転可能に設けられていることにより、被補修箇所Ｐ上に転写された補修膜Ｆを均一に押圧して、補修膜Ｆの転写塗着性を向上することができる。これにより、転写された補修膜Ｆの外周輪郭と壁紙Ｗの表面との境界が外観的にぼかされて、補修膜Ｆ表面と壁紙Ｗ表面とが自然に連続するような仕上がり感を得ることができる。
【０２２４】
特に、上記押圧ローラ１６０が、弾性材料からなるとともに、円筒押圧面を有する弾性円筒ローラの形態とされていることにより、上記効果がより有効に発揮されて、転写された補修膜Ｆの壁紙Ｗに対するなじみ度がさらに増して、壁紙Ｗの凹凸模様もよりリアルに再現することができる。
【０２２５】
また、上記押圧ローラ１６０が上記ケース２に設けられていることにより、補修作業の最終段階において必要に応じて行われる、補修膜Fを壁紙Wに確実に密着させるための押圧作業を、手指を直接触れずに上記押圧ローラ１６０により実行できるから、補修膜Fの表面が手指による手垢等によって汚染されるおそれはない。
【０２２６】
なお、上述した実施形態１〜１９はあくまでも本発明の好適な実施態様を示すものであって、本発明はこれに限定されることなく、その範囲内で種々の設計変更が可能である。
【０２２７】
例えば、実施形態１５の説明において記載したように、実施形態１の壁紙補修具１、実施形態２の壁紙補修具４０、および実施形態１５の壁紙補修具１２０など、壁紙補修具の具体的構造としては種々の構造の採用が考えられるところ、これらいずれの壁紙補修具においても、実施形態１〜１４に開示されるいずれの弾性変形構造２５、４５、５５、６０、６５、７０、７５、８０、８５、９０、９５、１００、１０５、１１０も採用可能であり、したがって、少なくともこれら弾性変形構造のうちのいずれかを目的等に応じて適宜選択的に採用することができる。
【０２２８】
また、弾性変形構造も、上述した図示の実施形態のほか、同様な作用効果を発揮する限り採用可能である。
【符号の説明】
【０２２９】
Ｗ                            壁紙
Ｐ                            壁紙の被補修箇所
Ｔ                            補修材テープ
Ｃ                            テープカートリッジ
Ｔ´                          使用後の補修材テープ（基材テープ）
１                            壁紙補修具
２                            ケース
３                            繰出リール
４                            巻取リール
５                            転写ヘッド
５ａ                          転写ヘッドの先端加圧部
６                            連動機構
７                            クラッチ機構
２０                          転写ヘッドのヘッド本体
２５                          弾性変形構造（弾性変形手段）
３５                          壁紙の凹凸模様
４０                          壁紙補修具
４５                          弾性変形構造（弾性変形手段）
４６、４７                    案内ピン（捩転機構）
５０                          弾性変形部
５５                          弾性変形構造（弾性変形手段）
５６                          弾性変形部
６０                          弾性変形構造（弾性変形手段）
６１                          弾性変形部
６２                          保持溝
６５                          弾性変形構造（弾性変形手段）
６６                          弾性変形部
７０                          弾性変形構造（弾性変形手段）
７１                          弾性変形部
７５                          弾性変形構造（弾性変形手段）
７６                          弾性変形部
８０                          弾性変形構造（弾性変形手段）
８１                          弾性変形部
８５                          弾性変形構造（弾性変形手段）
８６                          弾性変形部
８７                          連結弾性部
９０                          弾性変形構造（弾性変形手段）
９１                          弾性変形部
９５                          弾性変形構造（弾性変形手段）
９６                          弾性変形部
１００                        弾性変形構造（弾性変形手段）
１０１                        弾性変形部
１０５                        弾性変形構造（弾性変形手段）
１０６                        弾性変形部
１１０                        弾性変形構造（弾性変形手段）
１１１                        弾性変形部
１２０                        壁紙補修具
１２１                        ヘッド保持部
１２２                        回転操作部
１５０                        カートリッジケース
１５１                        ヘッド保持部
１６０                        押圧ローラ
【図１】
2016048002.tif 000003
【図２】
2016048002.tif 000004
【図３】
2016048002.tif 000005
【図４】
2016048002.tif 000006
【図５】
2016048002.tif 000007
【図６】
2016048002.tif 000008
【図７】
2016048002.tif 000009
【図８】
2016048002.tif 000010
【図９】
2016048002.tif 000011
【図１０】
2016048002.tif 000012
【図１１】
2016048002.tif 000013
【図１２】
2016048002.tif 000014
【図１３】
2016048002.tif 000015
【図１４】
2016048002.tif 000016
【図１５】
2016048002.tif 000017
【図１６】
2016048002.tif 000018
【図１７】
2016048002.tif 000019
【図１８】
2016048002.tif 000020
【図１９】
2016048002.tif 000021
【図２０】
2016048002.tif 000022
【図２１】
2016048002.tif 000023
【図２２】
2016048002.tif 000024
【図２３】
2016048002.tif 000025
【図２４】
2016048002.tif 000026
【図２５】
2016048002.tif 000027
【図２６】
2016048002.tif 000028
【図２７】
2016048002.tif 000029
【図２８】
2016048002.tif 000030
【図２９】
2016048002.tif 000031
【図３０】
2016048002.tif 000032
【図３１】
2016048002.tif 000033
【図３２】
2016048002.tif 000034
【手続補正書】
【提出日】平成26年9月15日(2014.9.15)
【手続補正１】
【補正対象書類名】図面
【補正対象項目名】全図
【補正方法】変更
【補正の内容】
【図１】
2016048002.tif 000035
【図２】
2016048002.tif 000036
【図３】
2016048002.tif 000037
【図４】
2016048002.tif 000038
【図５】
2016048002.tif 000039
【図６】
2016048002.tif 000040
【図７】
2016048002.tif 000041
【図８】
2016048002.tif 000042
【図９】
2016048002.tif 000043
【図１０】
2016048002.tif 000044
【図１１】
2016048002.tif 000045
【図１２】
2016048002.tif 000046
【図１３】
2016048002.tif 000047
【図１４】
2016048002.tif 000048
【図１５】
2016048002.tif 000049
【図１６】
2016048002.tif 000050
【図１７】
2016048002.tif 000051
【図１８】
2016048002.tif 000052
【図１９】
2016048002.tif 000053
【図２０】
2016048002.tif 000054
【図２１】
2016048002.tif 000055
【図２２】
2016048002.tif 000056
【図２３】
2016048002.tif 000057
【図２４】
2016048002.tif 000058
【図２５】
2016048002.tif 000059
【図２６】
2016048002.tif 000060
【図２７】
2016048002.tif 000061
【図２８】
2016048002.tif 000062
【図２９】
2016048002.tif 000063
【図３０】
2016048002.tif 000064
【図３１】
2016048002.tif 000065
【図３２】
2016048002.tif 000066